(57)【特許請求の範囲】
【請求項１】
湿し水をためる水槽と、その水槽内で回転して前記湿し水を付着する水元ローラと、この水元ローラに接するとともに版胴に巻きつけられた版に接してこの版に前記湿し水を与える水着けローラと、該水着けローラの前記版に接する位置の前側と後ろ側とそれぞれ回転しながら軸方向に揺動する第１および第２の振りローラと、前記版にインキを供給するインキローラとを備える枚葉オフセット印刷機の給水装置であって、
前記第２の振りローラと前記インキローラに接する中継ローラを有し、該第２の振りローラは、該中継ローラと相互に軸位置を可変させ、前記湿し水によるインキの乳化バランスを調整可能にすることを特徴とする枚葉オフセット印刷機の給水装置。
【請求項２】
前記水元ローラに接して前記水元ローラに付着する前記湿し水の量を制御する水切りローラを備え、この水切りローラと前記水元ローラとの相互の軸位置を可変にすることにより、前記水着けローラが前記版に与える前記湿し水の量を調整可能にすることを特徴とする請求項１記載の枚葉オフセット印刷機の給水装置。
【発明の詳細な説明】
【技術分野】
【０００１】
本発明は、枚葉オフセット印刷機の版に湿し水を供給する給水装置に関し、いわゆる雨降り現象及び絵柄戻りによる印刷むらの発生を抑えた枚葉オフセット印刷機の給水装置に関する。
【背景技術】
【０００２】
平版印刷機においては、版面の画線部ではインキを付着させるように版面を親油性にし、非画線部ではインキの付着を抑えて印刷を行うように版面を親水性にし、版面に薄い水の膜を形成させて、必要な湿し水を供給する給水装置が設けられている。
このような版を湿すための給水装置として、水舟（水槽）内の湿し水に浸かる水元ローラと、水元ローラに直接または間接に接触する水着けローラとが備わったものが知られている。水着けローラはさらに、版を取り付けた版胴に接触させることで版に湿し水供給することができる。
水元ローラと水着けローラとが直接接触している例としては、特許文献１および２に示すものがある。
また、水元ローラと水着けローラの間に水元ローラから水着けローラに湿し水を移す水移しローラとを備えたものとして、特許文献３、４および５に示すものがある。ここでは、湿し水の供給量を調整するため、水移しローラを揺動により水移しローラを水着けローラに対して接触、離反させ、その接触、離反によって湿し水の過剰な供給を防止するようにしている。
【０００３】
ところで、このような湿し水の給水装置においては、水着けローラの表面に形成される水膜の厚さが不均一になることによって、印刷むらが生じることが知られている。
例えば、水着けローラが版胴に対して回転するとき、その回転が円滑でなかった場合のショック目、いわゆる雨降り現象が水着けローラに発生する。これが、湿し水の量が少ない部分と過剰になる部分とで不均一になって印刷むらを生じさせる。また、水着けローラに被印刷部分の絵柄が戻ってくる絵柄戻りという現象が生じる。
このような現象を避けるために、軸方向に揺動する振りローラを設けて、水を分散させて均一化を図る方法が採られる。このような振りローラは給水側だけでなくインキ側にも用いられる。
上記の引用特許文献中で、特許文献３および４では水着けローラの前側に振りローラを設けており、また、特許文献２および５では水着けローラの後側に振りローラを設けている。
【０００４】
【特許文献１】特開２０００−１８５３９１号公報
【特許文献２】特開平１０−３１５４２７号公報
【特許文献３】特開平９−１３６３９７号公報
【特許文献４】登録実用新案公報  第３００３１３４号
【特許文献５】特開平１０−１１９２３５号公報
【発明の開示】
【発明が解決しようとする課題】
【０００５】
しかしながら、版胴の周囲には、このような給水装置のほかに、複数のインキローラから成るインキ供給装置が並列して設けられるので、空間的に余裕がなく給水装置の構成はできるだけ簡単なものにしたいという要求がある。また、簡単な構成においても、いわゆる雨降り現象や絵柄戻りなどの現象による印刷むらを回避することができ、バランスの取れたインキの乳化が行われて、きれいな印刷ができることが望まれる。
上記した特許文献１および２に示す従来技術は、ロールの数が少なく構成は簡単であるが、印刷むらに対する対策は充分ではなかった。また、特許文献３、４および５に示す従来技術は、印刷むらに対する対策が採られているがロールの数が多くなって構成が複雑になるという問題があった。したがって、従来の印刷機の給水装置は必ずしもこれらの要求が充分に満足されているとはいえない。
【０００６】
本発明は、上記事情に鑑みてなされたもので、装置の構成要素をできるだけ少なく抑えるとともに、印刷むらの発生を抑えることができ、さらに適切なインキと水との間の乳化を保つことが可能な給水装置の実現を課題とする。
【課題を解決するための手段】
【０００７】
上記課題を解決するため、本発明の枚葉オフセット印刷機の給水装置は、  湿し水をためる水槽と、その水槽内で回転して前記湿し水を付着する水元ローラと、この水元ローラに接するとともに版胴に巻きつけられた版に接してこの版に前記湿し水を与える水着けローラと、該水着けローラの前記版に接する位置の前側と後ろ側とそれぞれ回転しながら軸方向に揺動する第１および第２の振りローラと、前記版にインキを供給するインキローラとを備える枚葉オフセット印刷機の給水装置であって、
前記第２の振りローラと前記インキローラに接する中継ローラを有し、該第２の振りローラは、該中継ローラと相互に軸位置を可変させ、前記湿し水によるインキの乳化バランスを調整可能にすることを特徴とする。
【００１０】
さらに、前記水元ローラに接して前記水元ローラに付着する前記湿し水の量を制御する水切りローラを備え、この水切りローラと前記水元ローラとの相互の軸位置を可変にすることにより、前記水着けローラが前記版に与える前記湿し水の量を調整可能にすることを特徴とする（請求項２）。
【発明の効果】
【００１１】
本発明は、以上のように構成され動作するので、給水装置を基本的に２つのローラで構成して簡素化するとともに、いわゆる雨降り現象や絵柄戻りなどの印刷むらをなくすことができ、また、湿し水によるインキの乳化バランスを適切にすることが可能な給水装置を提供することができる。
【発明を実施するための最良の形態】
【００１２】
以下、本発明の給水装置の一実施形態について図面に基づいて詳細に説明する。
図１は、本実施形態の給水装置の構成を示す側面の略図である。
【００１３】
図１において、符号１は水着けローラ、符号２は水元ローラ、符号３は第１の振りローラ、符号４は第２の振りローラ、符号５は水切りローラ、符号６は水舟（水槽）、符号７は第１のインキ着けローラ、符号８はインキ供給ローラ、符号９は中継ローラ、符号１０は版胴である。ここで、例えば、第１の振りローラ３、第２の振りローラ４および水切りローラ５を金属ローラで、他のローラはゴムローラで構成してもよい。
【００１４】
図１に沿って、この給水装置の動作を説明する。
版を表面に取り付けた版胴１０は、図示しないゴム胴に接するとともに、図１にはインキ供給装置のうちの一部を示すインキ着けローラ７と水着けローラ１とに接して回転している。
図１では第１のインキ着けローラ７で代表される複数のインキ着けローラは、回転することによってインキ供給ローラ８からインキを受け取って版にインキを供給する。
水着けローラ１は、版胴１０の回転方向から見て複数のインキ着けローラよりも前に位置していて、湿し水をためた水舟（水槽）６内で回転して水を引き出す水元ローラ２と直接に接触して湿し水を受け取り、版胴１０上の版に回転しながら版に湿し水を供給する。
【００１５】
この水着けローラ１には、また、第１の振りローラ３と第２の振りローラ４の２つの振りローラが接している。
水着けローラ１の版に対して接する位置の前側に位置する第１の振りローラ３は、回転しながら軸方向に揺動することによって水の分散を強制的に行って、水元ローラ２によって付けられた水着けローラ１の表面の水膜の厚さを均一化し、版上に形成される水膜の厚みを制御する。
これによって、給水装置を構成する各ローラの回転むらによって生じるいわゆる回転ショック目と呼ばれる雨降り現象の発生を消し取る動作を版に対する水着けの前に行って、最適な状態で版に水着けを行うことができる。
【００１６】
一方、水着けローラ１の版に対して接する位置の後側に位置する第２の振りローラ４も、回転しながら軸方向に揺動することによって水の分散を強制的に行って、水着けローラ１の表面の水膜の厚さを均一化するように働き、水着けローラ１が胴に対して水着けを行った後に、インキ量によって湿し水の吸収される量が変わることによって生まれる、水着けローラ１の表面に残っている絵柄の戻りをなくすように働く。
第２の振りローラ４は、さらに、第１のインキ着けローラ７などにインキを供給するインキ供給ローラ８に接している中継ローラ９から微量のインキを受け取り、水と混合して乳化して水着けローラ１に戻す。これによって、水着けローラ１に付着する水の乳化を促進させて乳化インキの流動性を高めることができ、これによってきれいな印刷結果を実現することができる。
このとき、中継ローラと第２の振りローラとの相互の軸位置を可変にして、ニップ幅を調整し、インキの戻り量を調整することで、湿し水によるインキの乳化バランスを最適に調整することができる。
【００１７】
さらに本実施形態では、水元ローラ２の版に対して接する位置の後方には水元ローラ２の水を切る水切りローラ５が設けられており、水元ローラ２に付着する水量を調量して、水着けローラ１の表面の水膜の厚さを制御する。この水切りローラ５は、その軸位置を水元ローラ２の軸位置に対して可変にすることで、ニップ幅を調整することにより、水元ローラ２に付着する水量ひいては水着けローラ１の湿し水量を調節することができる。
【００１８】
さらに本実施形態の給水装置は、以上のように構成されて、版胴１０の回転とともに動作が進み、水元ローラ２が水舟６内で回転して余分な水を水切りローラ５で除去されながら湿し水を水着けローラ１に供給し、この水着けローラ１の水膜の厚みは第１の振りローラ３によって均一化されて版に提供され、水着けローラ１の戻り側では残った水が第２の振りローラ４によって絵柄戻りが消されて均一化されるとともに、中継ローラ９からの微量のインキが混ざって乳化が促進されるので、少ないローラ数で、湿し水給水装置の問題点を解決することができる。
【産業上の利用可能性】
【００１９】
本発明は以上に述べたように構成され動作するので、オフセット印刷などの平版枚葉印刷機に広く用いることができ、印刷業界、印刷機器の製造業界で広範囲に利用できる可能性を有している。
【図面の簡単な説明】
【００２０】
【図１】本発明の給水装置の構成を示す側面図である。
【符号の説明】
【００２１】
１  水着けローラ
２  水元ローラ
３  第１の振りローラ
４  第２の振りローラ
５  水切りローラ
６  水舟（水槽）
７  第１のインキ着けローラ
８  インキ供給ローラ
９  中継ローラ
１０  版胴
【図１】
0005058070.tif 000002